(57)【要約】      （修正有）【課題】交流或いは直流電源に切り換えて入力を行うことができ、使用の利便性が高く、誤操作を防止可能である交流／直流デュアル入力充電器を提供する。【解決手段】交流／直流デュアル入力充電器は、充電器本体１、プラグ連接器ユニット２を備え、充電器本体１は、殻体、交流充電回路、直流充電回路、交流充電回路に電源を提供する交流入力ユニット、直流充電回路に電源を提供する直流入力ユニット、電源出力部品を備え、殻体上には、収容設置槽を設置し、プラグ連接器ユニット２は、交流プラグ２１或いは直流プラグ２２を備え、交流プラグ２１或いは直流プラグ２２は、収容設置槽内に交替に挿入接続可能で、交流プラグ２１は、交流入力ユニットと電気的に連接し、直流プラグ２２は、直流入力ユニットと電気的に連接する。【選択図】図１
0003156381.tif 000002
【実用新案登録請求の範囲】
【請求項１】
充電器本体、プラグ連接器ユニットを備え、
前記充電器本体は、殻体、交流充電回路、直流充電回路、前記交流充電回路に電源を提供する交流入力ユニット、前記直流充電回路に電源を提供する直流入力ユニット、電源出力部品を備え、前記殻体上には、収容設置槽を設置し、
前記プラグ連接器ユニットは、交流プラグ或いは直流プラグを備え、前記交流プラグ或いは前記直流プラグは、前記収容設置槽内に交替に挿入接続可能で、前記交流プラグは、前記交流入力ユニットと電気的に連接し、前記直流プラグは、前記直流入力ユニットと電気的に連接することを特徴とする交流/直流デュアル入力充電器。
【請求項２】
請求項１記載の交流/直流デュアル入力充電器において、前記充電器本体は、台体、回路板組成部品を備え、
前記台体は、前記殻体及び底台により組成し、
前記殻体上には、収容空間を設置し、
前記殻体は、前記底台上に嵌合し、
前記回路板組成部品は、前記殻体の収容空間内に収容設置し、前記回路板組成部品は、交流充電回路と直流充電回路を備えることを特徴とする交流/直流デュアル入力充電器。
【請求項３】
請求項２記載の交流/直流デュアル入力充電器において、前記収容設置槽は、上向き、前向きの２方向において、外界通じ、
前記交流プラグは、前記収容設置槽内に挿入接続可能で、凡そ台形を呈するプラグ殻体を備え、
前記直流プラグは、前記収容設置槽内のコネクターに挿入接続可能で、前記コネクターは、凡そ台形を呈するコネクター殻を備えることを特徴とする交流/直流デュアル入力充電器。
【請求項４】
請求項３記載の交流/直流デュアル入力充電器において、前記収容設置槽一端には、端壁を形成し、前記端壁上には、前記収容設置槽と前記収容空間に通じる第二挿入槽を開設し、
前記交流入力ユニットは、２個の交流入力部品を備え、前記交流入力部品は、連接片と１組の交流挿入接続柱を備え、前記１組の交流挿入接続柱は、前記端壁上に固定し、前記１組の交流挿入接続柱の一端は、前記第二挿入槽を貫通して、前記収容設置槽内へと進入し、前記連接片は、前記１組の交流挿入接続柱と前記交流充電回路との間に電気的に連接し、
前記プラグ殻体上には、１組の第一挿入孔を開設し、前記交流プラグは、前記プラグ殻体内に固定して、前記１組の第一挿入孔にそれ対応する２個の電極片を備え、
前記端壁上の１組の交流挿入接続柱は、前記１組の第一挿入孔内に挿入接続可能で、前記電極片と相互に接触することを特徴とする交流/直流デュアル入力充電器。
【請求項５】
請求項３記載の交流/直流デュアル入力充電器において、前記コネクターは、絶縁殻体を備え、前記絶縁殻体上には、２個のあつれき回避孔を設置することを特徴とする交流/直流デュアル入力充電器。
【請求項６】
請求項５記載の交流/直流デュアル入力充電器において、前記絶縁殻体上には、２個のスライドガイド槽を設置することを特徴とする交流/直流デュアル入力充電器。
【請求項７】
請求項３記載の交流/直流デュアル入力充電器において、前記直流入力ユニットは、２個の直流入力部品を備え、
前記直流入力部品は、固定支持部、前記固定支持部の辺縁位置から延伸して形成する溶接部、前記固定支持部の辺縁位置から延伸して盛り上がり、台形を形成する接触部、前記接触部末端から延伸して形成する停止部を備え、
前記殻体は、前記収容設置槽の底部に対応して、底壁を形成し、前記底壁上には、前記収容設置槽と前記収容空間に通じる第一挿入槽を開設し、
前記溶接部は、直流回路と電気的に連接し、
前記接触部は、前記第一挿入槽から前記収容設置槽内へと進入し、
前記コネクターは、２個の弾力片を備え、前記２個の弾力片は、前記直流入力部品の接触部と接触することを特徴とする交流/直流デュアル入力充電器。
【請求項８】
請求項７記載の交流/直流デュアル入力充電器において、前記プラグ殻体上には、２個のあつれき回避槽を設置することを特徴とする交流/直流デュアル入力充電器。
【請求項９】
請求項３記載の交流/直流デュアル入力充電器において、前記殻体は、前記収容設置槽の底部に対応して、底壁を形成し、前記底壁上には、係合槽を開設し、
前記充電器本体内には、係合部品を設置し、前記係合部品は、薄いブロック状の係合片、前記係合片上表面から上方へと突出して形成する係合ヘッドを備え、前記係合ヘッドはガイドスライド面を備え、
前記係合部品の係合ヘッドの一端は、前記係合槽を貫通し、前記収容設置槽内へと可動状態で進入し、前記係合片は、前記底壁下方に接触して固定し、
前記係合部品下部では、バネがその弾力により押し上げ、
前記プラグ殻体と前記コネクター殻との一端の下部には共に、傾斜した導入面を設置することを特徴とする交流/直流デュアル入力充電器。
【考案の詳細な説明】
【技術分野】
【０００１】
本考案は充電器に関し、特に交流/直流デュアル入力充電器に関する。
【背景技術】
【０００２】
電気製品が広く社会に普及する現在、充電器は日常生活に欠くべからざる生活用品となっている。従来の充電器は、交流電源充電器と直流電源充電器に分けられる。交流電源充電器は、交流電源と直接接続し、主に室内で使用される。直流電源充電器は、通常は、車内の充電装置を通して直流電源と接続され、主に、車両及び他の交通機関において使用される。充電器を、交流と直流の２種の作動モードに同時に適用可能とするため、充電器には、交流入力プラグと直流入力プラグが設置されている。この種の充電器においては、切り換えスイッチを用いて、交流と直流の入力を手動で切り換える必要がある。
【０００３】
しかし、上記した従来の交流/直流デュアル入力充電器は、使用時に、手動でスイッチの状態を切り換えなければならない。さもなければ、電源と接続する交流入力プラグ、或いは直流入力プラグに対応させて充電機能を実現することはできない。そのため、その使用は複雑で、誤操作が起こり易く、携帯に不便である。
【考案の概要】
【考案が解決しようとする課題】
【０００４】
本考案は、構造が簡単で、簡単に使用でき、誤操作が起こり難く、形態の便が良い交流/直流デュアル入力充電器を提供することである。
【課題を解決するための手段】
【０００５】
上記課題を解決するため、本考案は下記の交流/直流デュアル入力充電器を提供する。
交流/直流デュアル入力充電器は、充電器本体、プラグ連接器ユニットを備え、
該充電器本体は、殻体、交流充電回路、直流充電回路、該交流充電回路に電源を提供する交流入力ユニット、該直流充電回路に電源を提供する直流入力ユニット、電源出力部品を備え、該殻体上には、収容設置槽を設置し、
該プラグ連接器ユニットは、交流プラグ或いは直流プラグを備え、該交流プラグ或いは該直流プラグは、該収容設置槽内に交替に挿入接続可能で、該交流プラグは、該交流入力ユニットと電気的に連接し、該直流プラグは、該直流入力ユニットと電気的に連接する。
【考案の効果】
【０００６】
本考案交流/直流デュアル入力充電器は、その使用時に、交流プラグ或いは直流プラグを選択的に収容設置槽内に挿入接続し、こうして電源と連接して、電子製品に対して充電を行うことができる。交流入力プラグ或いは直流入力プラグに対応させるため、スイッチの状態を切り換える必要があるという問題が存在しないため、誤操作の恐れを払拭することができる。
【図面の簡単な説明】
【０００７】
【図１】本考案交流/直流デュアル入力充電器の立体図である。
【図２】図１に示す交流/直流デュアル入力充電器本体の立体分解図である。
【図３】図２に示す交流/直流デュアル入力充電器本体の立体図である。
【図４】図１に示す交流/直流デュアル入力充電器の交流プラグの立体分解図である。
【図５】図１に示す交流/直流デュアル入力充電器のコネクターの立体図である。
【図６】図１に示す交流/直流デュアル入力充電器の係合部品の立体図である。
【図７】図１に示す交流/直流デュアル入力充電器の交流プラグの別角度からの立体図である。
【考案を実施するための形態】
【０００８】
図１に示すように、交流/直流デュアル入力充電器１００は、充電器本体１とプラグ連接器ユニット２とを備える。プラグ連接器ユニット２は、交流プラグ２１、直流プラグ２２を備える。
図２に示すように、充電器本体１は、殻体１０、底台２０、交流入力ユニット、直流入力ユニット、出力部品５０、回路板組成部品６０、係合部品７０、バネ８０を備える。
【０００９】
図２、３に示すように、殻体１０上には、下方へと開口した収容空間１３、上方と前方の両方向に向かい、外界と通じる収容設置槽１１、外界及び収容空間１３に通じる出力部品槽１２を設置する。殻体１０は、収容設置槽１１の底部に対応して、底壁１１１を形成し、収容設置槽１１一端に対応して、端壁１１２を形成する。プラグ連接器ユニット２は、収容設置槽１１内に、嵌めて設置する。底壁１１１上には、収容設置槽１１と収容空間１３に通じる第一挿入槽１１１１、及び収容設置槽１１と収容空間１３に通じる係合槽１１１２を開設する。端壁１１２上には、収容設置槽１１と収容空間１３に通じる第二挿入槽１１２１を開設する。
【００１０】
図２に示すように、殻体１０は、底台２０上に嵌めて固定する。こうして、回路板組成部品６０は、殻体１０の収容空間１３内に固定、収容される。回路板組成部品６０上には、交流充電回路、直流充電回路を備え、交流充電回路に電源を提供する交流入力ユニット、及び直流充電回路に電源を提供する直流入力ユニットを、それぞれ殻体１０内に収容する。
【００１１】
直流入力ユニットは、２個の直流入力部品３０を備える。直流入力部品３０は、固定支持部３１、固定支持部３１の辺縁位置から延伸して形成する溶接部３２、固定支持部３１の辺縁位置から延伸して盛り上がり、台形を形成する接触部３３、接触部３３末端から延伸して形成する停止部３４を備える。溶接部３２は、回路板組成部品６０上に固定し、回路板組成部品６０の直流回路と電気的に連接する。接触部３３は、第一挿入槽１１１１から収容設置槽１１内へと進入する。固定支持部３１と停止部３４とは、底壁１１１の下部にそれぞれ固定する。
【００１２】
交流入力ユニットは、２個の交流入力部品４０を備える。２個の交流入力部品４０は、連接片４１、１組の交流挿入接続柱４２を備える。１組の交流挿入接続柱４２は、端壁１１２上に固定する。１組の交流挿入接続柱４２の一端は、第二挿入槽１１２１を通過して、収容設置槽１１内へと進入する。連接片４１は、回路板組成部品６０上に挿入して設置し、１組の交流挿入接続柱４２と交流充電回路との間に、電気的に連接する。
【００１３】
図２、６に示すように、係合部品７０は、充電器本体１内に設置する。係合部品７０は、薄いブロック状の係合片７１、係合片７１上表面から上方へと突出して形成する係合ヘッド７２、係合片７１下表面から下方へと突出して形成する底柱７３を備える。係合ヘッド７２は、その前表面と上表面とに連接し、しかも前から後へと徐々に上方へと傾斜するガイドスライド面７２１を備える。係合部品７０の係合ヘッド７２の一端は、係合槽１１１２を貫通し、収容設置槽１１内へと可動状態で進入する。係合片７１は、底壁１１１下方に接触して固定する。
バネ８０の一端は、底柱７３上に嵌り、反対端は、回路板組成部品６０上において弾力を発揮する。こうして、係合部品７０は、係合槽１１１２に沿って上下に移動可能となる。出力部品５０の一端は、回路板組成部品６０上に固定し、出力部品５０の反対端は、出力部品槽１２内に収容され、しかも殻体１０の後表面へと伸び出る。
【００１４】
図４、７に示すように、交流プラグ２１は、凡そ台形を呈するプラグ殻体２１１、２個の電極ピン２１２、回転軸体２１３、プラグ殻体２１１内に固定する２個の電極片２１７を備える。プラグ殻体２１１の上表面両側には、収容槽２１４、及びプラグ殻体２１１前端面まで延伸し、収容槽２１４と通じる挟持槽２１５をそれぞれ開設する。プラグ殻体２１１の後端面は窪んで、１組の第一挿入孔２１６を形成する。プラグ殻体２１１の底部には、プラグ殻体２１１一端まで延伸する２個のあつれき回避槽(Preventing Slot)２１８設置する。プラグ殻体２１１下表面は窪んで、係合槽２１９を形成する。プラグ殻体２１１一端の下部には、傾斜した導入面２１１１を設置する。
２個の電極片２１７は、１組の第一挿入孔２１６にそれぞれ対応する。回転軸体２１３は、プラグ殻体２１１内に設置し、回転軸体２１３の両側は、収容槽２１４内にそれぞれ収容される。２個の電極ピン２１２は、回転軸体２１３の両側にそれぞれ固定され、プラグ殻体２１１外部へと進出する。各電極ピン２１２を圧迫することで、回転軸体２１３を連動して片側へと回転させ、これにより、各電極ピン２１２は、挟持槽２１５内に収容される。
【００１５】
図１、５に示すように、直流プラグ２２は、コネクター２２１、自動車充電ヘッド２２２、コネクター２２１及び自動車充電ヘッド２２２と連接する電源コード２２３を備える。コネクター２２１は、輪郭が凡そ台形を呈するコネクター殻２２１５、コネクター殻２２１５下表面両側に設置する２個の弾力片２２１１を備える。コネクター殻２２１５下表面は窪んで、嵌合槽２２１２、２個の端子槽２２１７、それぞれ端子槽２２１７と対応するガイドスライド槽２２１４を形成する。コネクター殻２２１５上には、２個のあつれき回避孔(Preventing hole)２２１３を設置する。コネクター殻２２１５一端の下部には、傾斜した導入面２２１６を設置する。２個の弾力片２２１１は、コネクター殻２２１５内に固定し、端子槽２２１７位置に対応する。自動車充電ヘッド２２２は、車載動力装置に挿入接続可能で、これにより直流電源の提供を受けることができる。
【００１６】
図１、２、４、６、７に示すように、本考案において、交流プラグ２１を収容設置槽１１内に挿入しようとする時には、導入面２１１１により、係合部品７０を下方へと押し、交流プラグ２１を殻体１０の収容設置槽１１内に挿入接続することができる。あつれき回避槽(Preventing slot)２１８により、交流プラグ２１が殻体１０の収容設置槽１１内に挿入接続される時、直流入力部品３０の接触部を避けることができる。交流プラグ２１を正しい位置まで挿入した後、交流プラグ２１のプラグ殻体２１１後側表面と端壁１１２とは相互に接触する。２組の交流挿入接続柱４２は、１組の第一挿入孔２１６内にそれぞれ挿入接続され、電極片２１７と相互に接触する。しかも、電極ピン２１２と交流入力部品４０とは、２個の電極片２１７を通して相互に連接して通電する。係合ヘッド７２は、交流プラグ２１の係合槽２１９内に進入し、こうして、交流プラグ２１は、収容設置槽１１内に堅固に係合される。
交流プラグ２１を、殻体１０の収容設置槽１１から抜こうとする時には、係合槽２１９の側壁は、ガイドスライド面７２１により、係合ヘッド７２を下方へと押す。こうして、交流プラグ２１を、スムーズに抜くことができる。
【００１７】
図１、２、５に示すように、本考案において、直流プラグ２２を収容設置槽１１内に挿入しようとする時には、導入面２２１６により係合部品７０を下方へと押すことと、ガイドスライド槽２２１４の直流入力部品３０に対するガイド作用により、直流プラグ２２は、殻体１０の収容設置槽１１内に挿入接続される。
直流プラグ２２を正しい位置まで挿入後、２個の弾力片２２１１と直流入力部品３０の接触部３３とは相互に接触する。同時に、係合部品７０は、直流プラグ２２の嵌合槽２２１２内に係合され、端壁１１２上に設置する１組の交流挿入接続柱４２は、あつれき回避孔２２１３内にそれぞれ固定される。
直流プラグ２２を、殻体１０の収容設置槽１１から抜こうとする時には、嵌合槽２２１２の側壁は、ガイドスライド面７２１が、係合ヘッド７２を下方へと押すことと、端子槽２２１７の槽壁が、接触部を下方へと押すことにより、交流プラグ２１を、スムーズに抜くことができる。
【００１８】
本考案交流/直流デュアル入力充電器１００は、その使用時に、交流プラグ２１或いは直流プラグ２２を選択的に収容設置槽１１内に挿入接続し、こうして電源と連接して、電子製品に対して充電を行うことができる。
交流入力プラグ或いは直流入力プラグに対応させるため、スイッチの状態を切り換える必要があるという問題が存在しないため、誤操作の恐れを払拭することができる。
【符号の説明】
【００１９】
１００  交流/直流デュアル入力充電器
１  充電器本体
１０  殻体
１１  収容設置槽
１１１  底壁
１１１１  第一挿入槽
１１１２  係合槽
１１２  端壁
１１２１  第二挿入槽
１２  出力部品槽
１３  収容空間
２０  底台
３０  直流入力部品
３１  固定支持部
３２  溶接部
３３  接触部
３４  停止部
４０  交流入力部品
４１  連接片
４２  交流挿入接続柱
５０  出力部品
６０  回路板組成部品
７０  係合部品
７１  係合片
７２  係合ヘッド
７２１  ガイドスライド面
７３  底柱
８０  バネ
２  プラグ連接器ユニット
２１  交流プラグ
２１１  プラグ殻体
２１１１  導入面
２１２  電極ピン
２１３  回転軸体
２１４  収容槽
２１５  挟持槽
２１６  第一挿入孔
２１７  電極片
２１８  あつれき回避槽(Preventing slot)
２２  直流プラグ
２１９  係合槽
２２１  コネクター
２２２  自動車充電ヘッド
２２３  電源コード
２２１１  弾力片
２２１２  嵌合槽
２２１３  あつれき回避孔(Preventing hole)
２２１４  ガイドスライド槽
２２１５  コネクター殻
２２１６  導入面
２２１７  端子槽
【図１】
0003156381.tif 000003
【図２】
0003156381.tif 000004
【図３】
0003156381.tif 000005
【図４】
0003156381.tif 000006
【図５】
0003156381.tif 000007
【図６】
0003156381.tif 000008
【図７】
0003156381.tif 000009